(57)【特許請求の範囲】
【請求項１】
肩掛け部の中央上部に首部を備えたフック部を設けたハンガー本体の２本を、前記フック部の上端において開閉ができるように連結されているものであって、一方のハンガー本体のフック部の首部に間隔保持部材を摺動と回動ができるように取り付けており、該間隔保持部材の先端に他方のハンガー本体のフック部の首部に係合する係合部を設けてなる洗濯用ハンガーにおいて、前記２本のハンガー本体は、棹部の両側端に内向に上部方向に傾斜させて連設した一対の肩掛け片部の交差する箇所において連繋して肩掛け部を形成しており、また、一方の肩掛け片部を延設して首部を備えたフック部を設けてなる線材製として、また、前記間隔保持部材は前記フック部の先端が挿通できる孔部を一端に設けた板片の先端に凹状の係合部を設けてなるものであって、該間隔保持部材を一方のハンガー本体のフック部の先端から前記孔部をもって首部に摺動と回動ができるように取り付けていることを特徴とする洗濯用ハンガー。
【請求項２】
前記両ハンガー本体のフック部の上端を可撓性テープにより開閉ができるように連結されていることを特徴とする請求項１に記載の洗濯用ハンガー。
【発明の詳細な説明】
【技術分野】
【０００１】
本発明は、洗濯して濡れている上衣類の前身頃と後身頃を離して風通しを良くして乾燥が短時間にできる洗濯用ハンガーに関するものである。
【背景技術】
【０００２】
洗濯して濡れている上衣類の布同士が密着せずに風通しを良くして乾燥し易くする洗濯用ハンガーとしては、ハンガーの肩掛け部につる草が巻き付いたようなスパイラル状構造を備えて、該スパイラル状構造により洗濯物に空間を形成して風通しを良くして洗濯物を乾燥させるものが知られている（特許文献１）。
【０００３】
しかしながら、前記特許文献１の洗濯用ハンガーは乾燥後に衣類をそのままハンガーにかけた状態でロッカー等に保管する場合に場所取る問題があり、また、使用しない時の保管で嵩張る問題もある。
【先行技術文献】
【特許文献】
【０００４】
【特許文献１】特開２００４−１８８１４０号公報
【発明の概要】
【発明が解決しようとする課題】
【０００５】
本発明は前記したような問題を解決して、洗濯衣類の乾燥時に布同士が密着せずに空間を形成して風通しを良くして乾燥を早め、乾燥後には場所取ることなく衣類を保管できる洗濯用ハンガーを提供するものである。
【課題を解決するための手段】
【０００６】
前記した課題を解決した本発明の洗濯用ハンガーは、肩掛け部の中央上部に首部を備えたフック部を設けたハンガー本体の２本を、前記フック部の上端において開閉ができるように連結されているものであって、一方のハンガー本体のフック部の首部に間隔保持部材を摺動と回動ができるように取り付けており、該間隔保持部材の先端に他方のハンガー本体のフック部の首部に係合する係合部を設けてある。
【０００７】
また、前記２本のハンガー本体は、棹部の両側端に内向に上部方向に傾斜させて連設した一対の肩掛け片部の交差する箇所において連繋して肩掛け部を形成しており、また、一方の肩掛け片部を延設して首部を備えたフック部を設けてなる線材製として、また、前記間隔保持部材は前記フック部の先端が挿通できる孔部を一端に設けた板片の先端に凹状の係合部を設けてなるものであって、該間隔保持部材を一方のハンガー本体のフック部の先端から前記孔部をもって首部に摺動と回動ができるように取り付けているものである。また、両ハンガー本体のフック部の上端を可撓性テープにより開閉ができるように連結されていることが好ましいものである。
【発明の効果】
【０００８】
前記のような本発明の洗濯用ハンガーは、２本のハンガー本体をフック部の上端において開閉できるように連結したものあるから、フック部の上端を支点に両ハンガー本体を開いて、一方のハンガー本体のフック部の首部に摺動と回動できるように取り付けてある間隔保持部材の先端に設けた係合部を他方のハンガー本体のフック部の首部に係合すれば、両ハンガー本体は間隔保持部材により間隔を保持した状態となる。そうしてこの状態とした洗濯用ハンガーに濡れている上衣を掛ければ、前身頃と後身頃を離して風通しを良くして乾燥が短時間にできるものである。
【０００９】
また、乾燥が終ったら間隔保持部材の先端の係合部を他方のハンガー本体のフック部の首部から外せば、両ハンガー本体はフック部に上端を支点に閉じられて場所取ることなく上衣をそのまま保管できるものである。また、上衣を外して嵩張ることなく保管することもできるものである。
【図面の簡単な説明】
【００１０】
【図１】本発明の実施形態を示す斜視図である。
【図２】同じく態様を異にして示す斜視図である。
【図３】本発明の実施形態を分解して示す斜視図である。
【図４】本発明の実施形態の使用例を示す斜視図である。
【図５】同じく使用例を態様を異にして示す斜視図である。
【発明を実施するための形態】
【００１１】
本発明に係る洗濯用ハンガーの好ましい実施の形態を図面に基づき説明する。
【００１２】
図１、図２において、１はハンガー本体であり、該ハンガー本体１は肩掛け部１１の中央上部に首部１２ａを備えたフック部１２を設けたものである。前記ハンガー本体１はその２本を、前記フック部１２、１２の上端において開閉できるように連結をされている。
【００１３】
そして、一方のハンガー本体１のフック部１２の首部１２ａに間隔保持部材２を摺動と回動ができるように取り付けている。また、該間隔保持部材２の先端に他方のハンガー本体１のフック部１２の首部１２ａに係合する係合部２１を設けている。
【００１４】
この実施形態にあっては、前記２本のハンガー本体１、１は棹部１０の両側に上部内向に傾斜させた一対の肩掛け辺部１１ａ、１１ａを屈曲させて、両肩掛け辺部１１ａ、１１ａの交差する箇所において連繋して前記肩掛け部１１を形成するものとして、一方の肩掛け辺部１１ａを延設して首部１２ａを備えたフック部１２を設けてなる線材製としたものである。この線材は具体的には直径2.8mmの針金に0.2mmの厚さのビニルコーティングを施した直径3.2ｍｍのものである。
【００１５】
また、前記間隔保持部材２は前記フック部１２の先端が挿通可能な孔部２２を一端に設けた板片２０の先端に凹状の係合部２１を設けた構造としている。前記間隔保持部材２は一方のハンガー本体１のフック部１１の先端から前記孔部２２をもって首部１２ａに装着されて摺動と回動ができるように該首部１２ａに取り付けたものである。なお、この間隔保持部材２を構成する板片２０はプラスチック製であるが金属製、木製であってもよい。
【００１６】
なお、前記間隔保持部材２の孔部２２は首部１２ａの径すなわち線材の直径より大径として、先端の係合部２１を他方のハンガー本体１のフック部１２の首部１２ａへ係合しない不使用の状態では図２に示すようにハンガー本体１に沿うように垂れ下がった状態となるものとしている。また、前記間隔保持部材２の孔部２２は首部１２ａの径より大径としていることにより、フック部１１の先端に手指保護用のキャップ４を被せたものであっても間隔保持部材２をフック部１２の先端から嵌合できるものである。
【００１７】
また、両ハンガー本体１、１のフック部１２、１２の上端を可撓性テープ３により開閉できるように連結したものである。この可撓性テープ３は粘着層を設けたビニールテープとすることが連結するのに便宜で好ましく、また、物干し棹に掛けた場合に滑り止め効果があるものである。なお、連結手段はこの可撓性テープ３に限ることなく開閉できるように連結することができるものであればよく、例えば、コイル状針金、コイル状プラスチック線材等或いはビニール製チューブであってもよいものである。
【００１８】
このような洗濯用ハンガーは、２本のハンガー本体１、１をフック部１２、１２の上端において開閉できるように連結したものあるから、連結箇所であるフック部の上端を支点に両ハンガー本体１、１を開いて、一方のハンガー本体１のフック部１２の首部１２ａに取り付けてある間隔保持部材２の先端に設けた係合部２１を他方のハンガー本体１のフック部１２の首部１２ａに係合して、両ハンガー本体１、１を図１に示すように間隔保持部材２により間隔を維持した状態とする。
【００１９】
この場合、間隔保持部材２は一方のハンガー本体１のフック部１２の首部１２ａに摺動と回動ができるように取り付けてあるので、首部１２ａの上下位置を調節でき、この調節により両ハンガー本体１、１の開きの間隔を調整できるものである。
【００２０】
そうして、この状態とした洗濯用ハンガーに、図４に示すように上衣（イ）を掛ければ、前身頃と後身頃を離した状態とすることができるので風通しを良くして乾燥が短時間にできるものである。
【００２１】
また、乾燥が終ったら間隔保持部材２の先端の係合部２１を他方のハンガー本体１のフック部１２の首部１２ａから外せば、両ハンガー本体１、１はフック部１２、１２の上端を支点に閉じられて場所とることなく図５に示すように上衣（イ）を洗濯用ハンガーに掛けた状態で保管できるものである。また、上衣を外して嵩張ることなく保管することもできるものである。
【符号の説明】
【００２２】
１  ハンガー本体
11  肩掛け部
11a  肩掛け辺部
12  フック部
12a  首部
２  間隔保持部材
21  係合部
22  孔部
【要約】
【課題】洗濯衣類の乾燥時に布同士が密着せずに空間を形成して風通しを良くして乾燥を早め、乾燥後には場所取ることなく衣類を保管できる洗濯用ハンガーを提供する。
【解決手段】肩掛け部１１の中央上部に首部１２ａを備えたフック部１２を設けたハンガー本体１の２本を、前記フック部１２、１２の上端において開閉ができるように連結されているものであって、一方のハンガー本体１のフック部１２の首部１２ａに間隔保持部材２を摺動と回動ができるように取り付けており、該間隔保持部材２の先端に他方のハンガー本体１のフック部１２の首部１２ａに係合する係合部２２を設ける。
【選択図】図１【図１】
0005995210.tif 000002
【図２】
0005995210.tif 000003
【図３】
0005995210.tif 000004
【図４】
0005995210.tif 000005
【図５】
0005995210.tif 000006